(57)【要約】【課題】この発明は、電気機器からＰＣＢ分析用サンプルを安全かつ簡便に採取できるようなＰＣＢ分析用サンプル採取器およびＰＣＢ分析用サンプル採取を提供するとともに、採取された後にも、サンプルの取り違いが起こりにくい管理方法を提供することを目的とする。【解決手段】この発明のＰＣＢ分析用サンプル採取方法は、弾性体のキャップ２ｂを有する真空容器２と、底部に中空針５を有する真空容器ホルダ３と、中空針５に接続される細管４とを有するＰＣＢ分析用サンプル採取器１を使用し、ＰＣＢ分析対象の絶縁油１４を有する電気機器１０の隙間に細管４を挿入し、細管４と中空針５を接続し、真空容器ホルダ３内で真空容器２のキャップ２ｂに中空針５を突き通し、電気機器１０内の絶縁油１４を真空容器２内に採取するものである。【選択図】図２
2010048787.tif 000002
【特許請求の範囲】
【請求項１】
弾性体のキャップを有する真空容器と、底部に中空針を有する真空容器ホルダと、中空針に接続される細管とを有するＰＣＢ分析用サンプル採取器。
【請求項２】
弾性体のキャップを有する真空容器と、底部に中空針を有する真空容器ホルダと、中空針に接続される細管とを有するＰＣＢ分析用サンプル採取器と、
同一の識別情報を示すＩＣタグまたは識別ラベルとを有するＰＣＢ分析用サンプル採取キット。
【請求項３】
請求項１に記載のＰＣＢ分析用サンプル採取器を使用するＰＣＢ分析用サンプル採取方法であって、
ＰＣＢ分析対象の絶縁油を有する電気機器の隙間に細管を挿入し、細管と中空針を接続し、
真空容器ホルダ内で真空容器のキャップに針を突き通し、
電気機器内の絶縁油を真空容器内に採取するＰＣＢ分析用サンプル採取方法。
【請求項４】
請求項３に記載のＰＣＢ分析用サンプル採取方法により採取したＰＣＢ分析用サンプルの管理方法であって、
サンプル採取対象の電気機器にＩＣタグまたは識別ラベルを取り付け、
サンプルを採取した真空容器に同一の識別情報を示す複数枚の識別ラベルを貼り付け、
ＰＣＢ分析用処理において新たなサンプル収納容器類を使用する度に、１枚の識別ラベルを残してすべての識別ラベルを新たなサンプル収納容器類に移すことを特徴とするＰＣＢ分析用サンプル管理方法。
【請求項５】
電気機器よりＰＣＢ分析用サンプルを採取した後に、真空容器以外のＰＣＢ分析用サンプル採取器の部品にも同じ識別情報を示す識別ラベルを貼り付ける、請求項４に記載のＰＣＢ分析用サンプル管理方法。
【発明の詳細な説明】
【技術分野】
【０００１】
本発明は、トランスなどの電気機器内の絶縁油をＰＣＢ分析用サンプルとして採取し、管理することに関する。
【背景技術】
【０００２】
ＰＣＢ（ポリ塩化ビフェニール）は残留性有機汚染物質の一つである。これらは環境中に残留しやすく、脂溶性で生物濃縮率が高く、半揮発性で大気経由の移動があり、人の健康・環境への有害性が確認され、水や底質及び生物など広範囲に環境中に残留している。ＰＣＢには２０９種類の異性体があり、その塩素数と位置によって毒性が異なる。コプラナＰＣＢはダイオキシン類と同様の毒性がある。
【０００３】
かつて有用な物質としてトランスなどの電気機器の絶縁油に使用されていたＰＣＢは、日本ではカネミ油症事件をきっかけに生体・環境への影響があることが明らかとなって以来、生産が中止され、開放系用途での使用や新規使用が禁じられている。閉鎖系用途についてはその後熱媒体用のＰＣＢは回収されたが、ＰＣＢが使用された電気機器は現在も継続して使用されているか、保管されている。
【０００４】
これらの電気機器は、ＰＣＢの処分を待って保管されているが、これらの電気機器のすべてに基準値以上のＰＣＢが含まれているわけではない。むしろ、保管されている電気機器のうち、ＰＣＢ分解処理を要するとされる基準値に満たないものの方が多いと予想されている。そこで、これらの電気機器のすべてにＰＣＢ分解処理を行うのではなく、あらかじめ、ＰＣＢの含有濃度を分析することが提案されている。
【０００５】
ＰＣＢの濃度分析方法については、例えば特許文献１などに記載されている。しかし、ＰＣＢ分析用サンプル採取のために安全かつ簡便な方法が確立されているわけではない。結局、トランスなどのボルトをはずして蓋を開け、ピペットなどで絶縁油をサンプルとして採取している。
【特許文献１】特開２００４−６１４８８号公開特許公報
【発明の開示】
【発明が解決しようとする課題】
【０００６】
従来行われているサンプル採取方法では、ＰＣＢ汚染の可能性がある絶縁油の環境中への流出が発生する可能性がある。採取に手間がかかり、大量の電気機器から短時間にサンプルを得ることは困難である。また、対象の電気機器の中には使用中のトランスなどもあり、電柱に登って採取する必要がある。
【０００７】
さらに、多数のサンプルを採取していくうちに、サンプルの取り違えが生じる危険性がある。このような取り違えは、ＰＣＢ分析の過程においても生じうる。もし、このようなサンプルの取り違えが発生すると、分析結果と対象の電気機器が一致せず、高濃度のＰＣＢを含む電気機器に対して安全なものとして通常の処分がされてＰＣＢが環境中に流出することにもなりかねない。
【０００８】
この発明は、電気機器からＰＣＢ分析用サンプルを安全かつ簡便に採取できるようなＰＣＢ分析用サンプル採取器およびＰＣＢ分析用サンプル採取を提供するとともに、採取された後にも、サンプルの取り違いが起こりにくい管理方法を提供することを目的とする。
【課題を解決するための手段】
【０００９】
上記の課題を解決するため、この発明のＰＣＢ分析用サンプル採取器は、弾性体のキャップを有する真空容器と、底部に中空針を有する真空容器ホルダと、中空針に接続される細管とを有する。
【００１０】
この発明のＰＣＢ分析用サンプル採取キットは、弾性体のキャップを有する真空容器と、底部に中空針を有する真空容器ホルダと、中空針に接続される細管とを有するＰＣＢ分析用サンプル採取器と、同一の識別情報を示すＩＣタグまたは識別ラベルとを有する。
【００１１】
この発明のＰＣＢ分析用サンプル採取方法は、上述のＰＣＢ分析用サンプル採取器を使用するＰＣＢ分析用サンプル採取方法であって、ＰＣＢ分析対象の絶縁油を有する電気機器の隙間に細管を挿入し、細管と中空針を接続し、真空容器ホルダ内で真空容器のキャップに針を突き通し、電気機器内の絶縁油を真空容器内に採取するものである。
【００１２】
さらに、この発明のＰＣＢ分析用サンプル管理方法は、上述のＰＣＢ分析用サンプル採取方法によって採取するとともに、サンプル採取対象の電気機器にＩＣタグまたは識別ラベルを取り付け、サンプルを採取した真空容器に同一の識別情報を示す複数枚の識別ラベルを貼り付け、ＰＣＢ分析用処理において新たなサンプル収納容器類を使用する度に、１枚の識別ラベルを残してすべての識別ラベルを新たなサンプル収納容器類に移すことを特徴とする。電気機器よりＰＣＢ分析用サンプルを採取した後に、真空容器以外のＰＣＢ分析用サンプル採取器の部品にも同じ識別情報を示す識別ラベルを貼り付けることが好ましい。
【発明の効果】
【００１３】
この発明のＰＣＢ分析用サンプル採取器およびＰＣＢ分析用サンプル採取方法は、電気機器を大きく開け広げることなく、わずかな隙間から安全かつ簡便にサンプルを採取できるという効果を有する。また、この発明のＰＣＢ分析用サンプル採取キットおよびＰＣＢ分析用サンプル管理方法は、サンプル採取中およびその後の工程におけるサンプルの取り違えを防止し、分析結果と対象の電気機器が常に一致するという効果を有する。
【発明を実施するための最良の形態】
【００１４】
この発明を実施するための最良の形態について説明する。図１はＰＣＢ分析用サンプル採取器を示す概念図である。ＰＣＢ分析用サンプル採取器１は真空容器２と、真空容器ホルダ３と、細管４を有する。
【００１５】
真空容器２は試験管状の容器本体２ａと、容器本体２ｂの端部を塞ぐキャップ２ｂを有する。このキャップはゴムなどの弾性体キャップ２ｂよりなり、容器本体２ａを密封できるものであり、針で容易に突き刺すことができるようになっている。真空容器２の内部は大気圧より低圧になっている。
【００１６】
真空容器ホルダ３は、内部に真空容器２を収納できるものであり、底部には中空針５が設けられている。中空針５は底面を貫通した状態で取り付けられおり、真空容器ホルダ３内の端部は尖っていて、キャップ２ｂに対向している。中空針５の多端側には細管４が着脱できるようになっている。また、真空容器ホルダ３にはフランジ部６が形成されている。
【００１７】
つぎに、このＰＣＢ分析用サンプル採取器１を使用したＰＣＢ分析用サンプル採取方法について説明する。図２はＰＣＢ分析用サンプル採取方法を示す概念図である。トランス１０の上部蓋１１はボルト１２およびパッキン１３によって固定されている。このボルト１２を少し緩めて、隙間を作る。細管４を挿入できる程度の隙間でよいので、ボルトをすべて外す必要はない。したがって、ほとんど閉鎖系に近い状態で、サンプリング作業が行える。
【００１８】
ここで、細管４は曲がり部を有することが好ましい。金属管や硬質プラスチック管などの素材で、あらかじめ曲がり部が形成されたものでもよい。また、手で曲げることによって曲げることができ、その状態を維持できるような素材の細管でもよい。細管４の先端がトランス１０の内部の絶縁油１４に到達したら、細管４の他端部を中空針５に接続する。
【００１９】
ついて、真空容器２を真空容器ホルダ３の奥に押し込み、中空針４をキャップ２ｂに突き通す。この例では、真空容器ホルダ３にフランジ部６が設けられているので、このフランジ部６に指をかければ片手で行うことも可能である。
【００２０】
中空針５がキャップ２ｂを突き抜けたら、トランス１０内の絶縁油１４が真空容器２に吸い込まれる。こうして、簡単に絶縁油をＰＣＢ分析用サンプルとして安全かつ簡単に採取することができる。倉庫に保管されているトランス以外にも、高所にある使用中のトランスからも簡単にＰＣＢ分析用サンプルを採取することができる。
【００２１】
図３は識別用のＩＣタグおよびラベルのセットを示す概念図である。ＩＣタグ・ラベルセット２０は、複数のＩＣタグまたは識別ラベルよりなる。この例では、電気機器取り付け用に１つのＩＣタグ２１と、サンプル容器およびその後の工程で使用するだけの枚数の識別ラベル２２よりなる。
【００２２】
ＩＣタグ２１には、ＩＣチップ２３と、電気機器に取り付けるための取り付け部２４が設けられている。ＩＣチップ２３内のメモリにはこのＩＣタグに固有の識別情報が記憶されている。
【００２３】
識別ラベル２２にもＩＣタグ２１と同一の識別情報が付されている。識別ラベル２２は、バーコードなどのようにスキャナで読み取り可能なものが好ましい。サンプル容器およびその後の工程で使用するだけの枚数に加えて、サンプル採取後のＰＣＢ分析用サンプル採取器で真空容器以外のＰＣＢ分析用サンプル採取器の部品に付す分の識別ラベル２２を備えてもよい。
【００２４】
識別用のＩＣタグおよびラベルのセットは一連のユニットとして一体化しているが、使用時にはそれぞれ取り離すことができる。この識別用のＩＣタグおよびラベルのセットとＰＣＢ分析用サンプル採取器をそれぞれ一つずつ組み合わせて、ＰＣＢ分析用サンプル採取キットとすることができる。
【００２５】
ついで、ＰＣＢ分析用サンプル管理方法について説明する。図４はＰＣＢ分析用サンプル管理方法を示す説明図である。上述のＰＣＢ分析用サンプル採取方法によってサンプルを採取した後、ＩＣタグ２１を電気機器１０に取り付ける。例えば、サンプル採取のために緩めたボルト１２に取り付け部２４をはめ込み、ボルト１２を締めて、上部蓋１１に固定してもよい。
【００２６】
ＰＣＢ分析用サンプル採取器１は、真空容器２とそれ以外の部品に分離される。真空容器２以外の部品はビニール袋などに入れて安全な場所に保管するが、この部品上かビニール袋に識別ラベルを貼り付ける。サンプルを吸引した真空容器２はサンプル容器３０となる。このサンプル容器３０にはその後の工程の分のラベル（２２ａ、２２ｂ，２２ｃ，２２ｄ，２２ｅ）をすべて貼り付ける。
【００２７】
その後のＰＣＢ分析用サンプル管理はＰＣＢ分析処理の工程によって若干の違いがあるが、本質的なことはここで説明する例と変わりはない。本例においては、サンプルの希釈、カラム通過（精製）、分析、報告書作成、管理伝表作成が行われる。
【００２８】
サンプル容器３０より一部のサンプルが試料調製用容器３１に移されて、適切な濃度に希釈される。このとき、サンプル容器３０に貼られた識別ラベルのうち１枚（２２ａ）をサンプル容器３０に残し、それ以外をすべて試料調製用容器３１に移行させる。
【００２９】
試料調製用容器３１のサンプルはカラム３２を通して精製され、測定用容器３３に収容される。このとき、試料調製用容器３１に識別ラベル２２ｂを残し、１枚（２２ｃ）をカラム３２に貼り付け、それ以外はすべて測定用容器３３に貼り付ける。
【００３０】
測定用容器３３の測定用サンプルは分析装置３５に投入され、ＰＣＢ量の測定が行われる。このとき、スキャナで測定用容器３３の識別ラベル２２より識別情報を読み取り、分析装置３５に取り込んでもよい。分析装置３５は分析結果に基づいて報告書３４を作成し、印刷する。この報告書３４にはＰＣＢ分析結果とともに識別ラベル２２と同じ識別情報がバーコードなどで印刷される。あるいは、報告書用の識別ラベルも用意しておき、これを報告書３４に貼り付けてもよい。  
【００３１】
こうして、ＰＣＢ分析対象の電気機器１０から報告書３４までのすべての工程に介在する器具や書類に同一の識別情報が付される。これによって、各工程におけるサンプルの取り違いを防止することができ、ＰＣＢ分析対象の電気機器と分析データの一致が保障される。分析結果よりＰＣＢ分解処理を要するものか、通常の絶縁油と同様の廃棄処分が可能なものかを判別する。サンプル容器３０、試料調製用容器３１などにも識別ラベル２２が付されているので、判定に従ってこれらの器具にも適切な処分がなされる。また、真空容器２以外の使用済みのＰＣＢ分析用サンプル採取器で真空容器２以外の部品も同様に適切に処理できる。
【００３２】
分析結果は識別情報とともにサーバ３６に送信してもよい。送信されたデータは内部の記憶装置３６ａに記憶される。複数の分析結果が集まったら、関連する一連のものを管理伝票３７として印刷する。この管理伝票３７にも分析結果とともに識別情報がバーコードなどで印刷される。あるいは、管理伝票用の識別ラベル２２ｅを貼り付けてもよい。こうして、管理伝票３７の各分析データも確実に分析対象の電気機器と対応付けることができる。
【００３３】
以上、この発明のＰＣＢ分析用サンプル管理方法によれば、ＰＣＢ分析結果と電気機器が確実に対応付けられる。したがって、分析結果にしたがって、適切な処分を行うことができる。さらに、電気機器１０の処分を行う直前にも、電気機器１０に残っているＩＣタグ２１より識別情報を読み出し、サーバ３６より分析結果を参照して、最終確認を行うこともできる。処分がなされたら、処分済みであることの情報もサーバ３６に送信して、記憶装置３６ａに記憶させることができる。これによって、電気機器の処分の進行状況が把握でき、例えば、高濃度のＰＣＢを含む電気機器がどこに何台残っているかなどの情報も管理することができる。
【図面の簡単な説明】
【００３４】
【図１】ＰＣＢ分析用サンプル採取器を示す概念図である。
【図２】ＰＣＢ分析用サンプル採取方法を示す概念図である。
【図３】識別用のＩＣタグおよびラベルのセットを示す概念図である。
【図４】ＰＣＢ分析用サンプル管理方法を示す説明図である。
【符号の説明】
【００３５】
１．ＰＣＢ分析用サンプル採取器
２．真空容器
２ｂ．キャップ
３．真空容器ホルダ
４．細管
５．中空針
６．フランジ部
１０．電気機器（トランス）
１１．上部蓋
１２．ボルト
１３．パッキン
１４．絶縁油
２０．ＩＣタグおよびラベルのセット
２１．ＩＣタグ
２２．識別ラベル
３０．サンプル容器
３６．サーバ
【図１】
2010048787.tif 000003
【図２】
2010048787.tif 000004
【図３】
2010048787.tif 000005
【図４】
2010048787.tif 000006
【手続補正書】
【提出日】平成21年1月29日(2009.1.29)
【手続補正１】
【補正対象書類名】明細書
【補正対象項目名】０００５
【補正方法】変更
【補正の内容】
【０００５】
ＰＣＢの濃度分析方法については、例えば特許文献１などに記載されている。しかし、ＰＣＢ分析用サンプル採取のために安全かつ簡便な方法が確立されているわけではない。結局、トランスなどのボルトをはずして蓋を開け、ピペットなどで絶縁油をサンプルとして採取している。
【特許文献１】特開２００４−６１４８５号公開特許公報
【手続補正２】
【補正対象書類名】明細書
【補正対象項目名】０００８
【補正方法】変更
【補正の内容】
【０００８】
この発明は、電気機器からＰＣＢ分析用サンプルを安全かつ簡便に採取できるようなＰＣＢ分析用サンプル採取器およびＰＣＢ分析用サンプル採取方法を提供するとともに、採取された後にも、サンプルの取り違いが起こりにくい管理方法を提供することを目的とする。
【手続補正３】
【補正対象書類名】明細書
【補正対象項目名】００１５
【補正方法】変更
【補正の内容】
【００１５】
真空容器２は試験管状の容器本体２ａと、容器本体２ｂの端部を塞ぐキャップ２ｂを有する。このキャップ２ｂはゴムなどの弾性体よりなり、容器本体２ａを密封できるものであり、針で容易に突き刺すことができるようになっている。真空容器２の内部は大気圧より低圧になっている。
【手続補正４】
【補正対象書類名】明細書
【補正対象項目名】００１６
【補正方法】変更
【補正の内容】
【００１６】
真空容器ホルダ３は、内部に真空容器２を収納できるものであり、底部には中空針５が設けられている。中空針５は底面を貫通した状態で取り付けられおり、真空容器ホルダ３内の端部は尖っていて、キャップ２ｂに対向している。中空針５の他端側には細管４が着脱できるようになっている。また、真空容器ホルダ３にはフランジ部６が形成されている。
【手続補正５】
【補正対象書類名】明細書
【補正対象項目名】００２０
【補正方法】変更
【補正の内容】
【００２０】
中空針５がキャップ２ｂを突き抜けたら、トランス１０内の絶縁油１４が真空容器２に吸い込まれる。こうして、絶縁油をＰＣＢ分析用サンプルとして安全かつ簡単に採取することができる。倉庫に保管されているトランス以外にも、高所にある使用中のトランスからも簡単にＰＣＢ分析用サンプルを採取することができる。